(57)【要約】【課題】防水シート用の圧着パッドにおいて、シート固定具と防水シートとの接着の確実性が得られる適正な押圧力及び適正な押圧時間で、押し操作できるようにする。【解決手段】作業者により押し操作される操作部４０と、初期位置と押圧完了位置とに亘って移動自在な状態で操作部４０に支持された押圧部３とを備える。操作部４０と押圧部３とに亘って設けられ、押圧部３を初期位置に付勢すると共に操作部４０の押圧力を押圧部３に伝達する付勢手段１４を備える。操作部４０が押し操作されるのに伴って、押圧部３の初期位置から押圧完了位置までの直線移動に負荷を付与して、押圧部３が初期位置から押圧完了位置に移動するまでの時間を所定時間以上に長くする遅延手段１１，１８，２７を備える。【選択図】図１
2018168658.tif 000002
【特許請求の範囲】
【請求項１】
防水下地に固定されたシート固定具に誘導加熱によって防水シートを接着する際に用いられ、誘導加熱後に前記防水シートを前記シート固定具に押圧するための圧着パッドであって、
作業者により押し操作される操作部と、
前記操作部の押圧方向に沿って前記操作部に対して最も離れる初期位置と前記操作部に対して最も近づく押圧完了位置とに亘って移動自在な状態で前記操作部に支持され、前記操作部が押し操作されることで前記防水シートを押圧する押圧部と、
前記操作部と前記押圧部とに亘って設けられ、前記押圧部を前記初期位置に付勢すると共に前記操作部の押圧力を前記押圧部に伝達する付勢手段と、
前記操作部が押し操作されるのに伴って、前記押圧部の前記初期位置から前記押圧完了位置までの直線移動に負荷を付与して、前記押圧部が前記初期位置から前記押圧完了位置に移動するまでの時間を所定時間以上に長くする遅延手段と、が備えられた圧着パッド。
【請求項２】
前記遅延手段は、前記直線移動によって回転運動することで前記直線移動に負荷を付与する請求項１に記載の圧着パッド。
【請求項３】
前記遅延手段に、前記操作部及び前記押圧部の何れか一方に設けられた固定ネジ体と、前記固定ネジ体に螺合され、前記直線移動によって螺進する回転体と、が備えられている請求項２に記載の圧着パッド。
【請求項４】
前記操作部及び前記押圧部は、入れ子式に構成された筐体であり、
前記操作部と前記押圧部とによって囲まれた空間に、前記回転体の回転運動によって駆動するファンが備えられている請求項３に記載の圧着パッド。
【請求項５】
前記回転体の回転運動によって発電する発電装置と、前記発電装置によって発電された電力によって作動して外部機器と通信可能な通信装置と、が備えられている請求項３または４に記載の圧着パッド。
【請求項６】
前記操作部及び前記押圧部は、入れ子式に構成された筐体であり、
前記遅延手段に、前記直線移動時において、前記操作部と前記押圧部とによって囲まれた空間の空気の排出に抵抗を与える絞り部が備えられている請求項１から５の何れか一項に記載の圧着パッド。
【請求項７】
前記押圧部が前記押圧完了位置に達したことを検出するセンサが備えられている請求項１から６の何れか一項に記載の圧着パッド。
【発明の詳細な説明】
【技術分野】
【０００１】
本発明は、防水下地に固定されたシート固定具に誘導加熱によって防水シートを接着する際に用いられ、誘導加熱後に防水シートをシート固定具に押圧するための圧着パッドに関する。
【背景技術】
【０００２】
例えば、建物の屋上等の防水下地に防水シートを設置する場合、以下のような作業を行う。
加熱によって溶融する接着層を上面に備えたシート固定具を、アンカーボルト等により防水下地に多数固定して、シート固定具の上から防水シートを被せる。次に、シート固定具に載る防水シートの部分を上側から誘導加熱によって加熱することにより、シート固定具の接着層を溶融させて、シート固定具と防水シートとを接着する。
【０００３】
この後、特許文献１に開示されているような圧着パッドにより、シート固定具に接着された防水シートの部分を上側から押し操作することによって、シート固定具と防水シートとを密着させて、シート固定具と防水シートとの接着を確実なものとする。
【先行技術文献】
【特許文献】
【０００４】
【特許文献１】特開２０１０−２２９６６９号公報
【発明の概要】
【発明が解決しようとする課題】
【０００５】
前述のように、シート固定具と防水シートとを接着する場合、圧着パッドの押圧力及び押圧時間が、シート固定具と防水シートとの接着の確実性を左右する重要な要件となっている。
この場合、圧着パッドを使用する作業者が、非常に大きな力で且つ長時間に亘って、圧着パッドにより、防水シートのうちシート固定具に接着された部分を押し操作すれば、シート固定具と防水シートとの接着の確実性を得ることはできる。
【０００６】
しかしながら、多数のシート固定具と大面積の防水シートとを接着する作業において、作業者が前述のような作業を行うと、全体の作業能率が低下するので、シート固定具と防水シートとの接着の確実性が得られる適正な押圧力及び適正な押圧時間で、圧着パッドにより、シート固定具に接着された防水シートの部分を押し操作したいという要望が高まっている。
【０００７】
本発明は、防水下地に固定されたシート固定具に誘導加熱によって防水シートを接着する際に用いられ、誘導加熱後に防水シートをシート固定具に押圧するための圧着パッドにおいて、シート固定具と防水シートとの接着の確実性が得られる適正な押圧力及び適正な押圧時間で、圧着パッドの押し操作が行えるようにすることを目的としている。
【課題を解決するための手段】
【０００８】
（構成）
本発明の特徴は、防水下地に固定されたシート固定具に誘導加熱によって防水シートを接着する際に用いられ、誘導加熱後に防水シートをシート固定具に押圧するための圧着パッドにおいて、以下のように構成することにある。
作業者により押し操作される操作部と、
前記操作部の押圧方向に沿って前記操作部に対して最も離れる初期位置と前記操作部に対して最も近づく押圧完了位置とに亘って移動自在な状態で前記操作部に支持され、前記操作部が押し操作されることで前記防水シートを押圧する押圧部と、
前記操作部と前記押圧部とに亘って設けられ、前記押圧部を前記初期位置に付勢すると共に前記操作部の押圧力を前記押圧部に伝達する付勢手段と、
前記操作部が押し操作されるのに伴って、前記押圧部の前記初期位置から前記押圧完了位置までの直線移動に負荷を付与して、前記押圧部が前記初期位置から前記押圧完了位置に移動するまでの時間を所定時間以上に長くする遅延手段と、が備えられる。
【０００９】
（作用及び発明の効果）
本発明によると、作業者は、シート固定具に接着された防水シートの部分に、圧着パッドの押圧部を当て付けて、圧着パッドの操作部を押圧部側に押し操作するのであり、圧着パッドの押圧部が初期位置から押圧完了位置に直線移動する。
【００１０】
前述の状態において、付勢手段に抗して圧着パッドの操作部を押圧部側に押し操作することになるので、付勢手段の付勢力を、例えば適正な押圧力以上の値に設定すればよい。
これにより、作業者は、付勢手段の付勢力に少し打ち勝つ程度の力で、圧着パッドの操作部を押圧部側に押し操作することによって、シート固定具に接着された防水シートの部分を、圧着パッドにより適正な値の押圧力で押し操作することができる。
【００１１】
前述の状態において、圧着パッドの押圧部の直線移動に対して遅延手段の負荷が掛かるので、遅延手段の負荷が掛かった状態で、圧着パッドの押圧部を初期位置から押圧完了位置に直線移動させるのに要する時間を、例えば適正な押圧時間（所定時間）と同じ値、又は適正な押圧時間（所定時間）以上の値に設定すればよい。
これにより、作業者は、遅延手段の負荷に抗して圧着パッドの押圧部を無理なく直線移動させることができる程度の移動速度で、圧着パッドの操作部を押圧部側に押し操作することによって、シート固定具に接着された防水シートの部分を、圧着パッドにより適正な値の押圧時間で押し操作することができる。
【００１２】
以上のように、本発明の圧着パッドによると、シート固定具に接着された防水シートの部分を圧着パッドにより押し操作する場合、適正な押圧力で押し操作することができるようになり、且つ、適正な押圧時間で押し操作することができるようになって、シート固定具と防水シートとの接着の確実性を得ながら、全体の作業能率を向上させることができる。
【００１３】
（構成）
本発明において、以下のように構成すると好適である。
前記遅延手段は、前記直線移動によって回転運動することで前記直線移動に負荷を付与する。
【００１４】
（作用及び発明の効果）
本発明によると、圧着パッドの押圧部の直線移動に対して、遅延手段が回転運動という比較的単純で、且つ、円滑に作動する運動によって負荷を付与する。
これにより、簡素で且つ円滑に作動する遅延手段を得ることができて、遅延手段の構造の簡素化及び遅延手段の性能の確保という面で有利なものとなる。
【００１５】
（構成）
本発明において、以下のように構成すると好適である。
前記遅延手段に、前記操作部及び前記押圧部の何れか一方に設けられた固定ネジ体と、前記固定ネジ体に螺合され、前記直線移動によって螺進する回転体と、が備えられている。
【００１６】
（作用及び発明の効果）
本発明によると、遅延手段において、圧着パッドの押圧部が直線移動することにより、固定ネジ体に沿って回転体が移動しながら回転運動する。
これにより、固定ネジ体及び回転体という簡単な構造によって、円滑に作動する遅延手段を得ることができて、遅延手段の構造の簡素化及び遅延手段の性能の確保という面で有利なものとなる。
【００１７】
（構成）
本発明において、以下のように構成すると好適である。
前記操作部及び前記押圧部は、入れ子式に構成された筐体であり、
前記操作部と前記押圧部とによって囲まれた空間に、前記回転体の回転運動によって駆動するファンが備えられている。
【００１８】
（作用及び発明の効果）
シート固定具の接着層を誘導加熱によって溶融させて、シート固定具と防水シートとを接着した後、シート固定具や防水シートに熱が残っているので、シート固定具や防水シートの温度を下げることも、シート固定具と防水シートとの接着の確実性を左右する重要な要件となっている。
【００１９】
本発明によると、圧着パッドの押圧部が直線移動することにより、回転体が回転運動すると、ファンが駆動されるので、圧着パッドの操作部と押圧部とによって囲まれた空間の空気が、ファンにより攪拌されて、圧着パッドの押圧部の放熱が促進される。
これにより、シート固定具や防水シートから圧着パッドの押圧部への吸熱が促進され、シート固定具や防水シートの温度を下げることができる。
【００２０】
本発明のように、圧着パッドの押圧部が直線移動することにより、ファンが駆動されると、ファンを駆動する為の負荷が、圧着パッドの押圧部の直線移動に対する負荷となる。
これにより、ファンの駆動が遅延手段の補助となるので、遅延手段を大きな負荷を発生させる大掛かりなものに構成する必要がなくなって、遅延手段の構造の簡素化の面で有利なものとなる。
【００２１】
（構成）
本発明において、以下のように構成すると好適である。
前記回転体の回転運動によって発電する発電装置と、前記発電装置によって発電された電力によって作動して外部機器と通信可能な通信装置と、が備えられている。
【００２２】
（作用及び発明の効果）
多数のシート固定具と大面積の防水シートとを接着する作業では、シート固定具に接着された防水シートの部分を圧着パッドにより押し操作する際の各種の作業用のデータを、圧着パッドに備えられた通信装置から外部機器に送信するようにして、各種の作業用のデータを蓄積及び管理することがある。逆に、外部機器から圧着パッドの通信装置に、各種の作業用のデータが送信されることもある。
この場合、通信装置用のバッテリーや電池等を圧着パッドに備えるだけであると、定期的なバッテリーの充電や電池の交換を行う必要がある。
【００２３】
本発明によると、圧着パッドにおいて前述のような通信装置を備えた場合、圧着パッドに発電装置を備えており、シート固定具に接着された防水シートの部分を圧着パッドにより押し操作するごとに発電が行われるので、通信装置の電力不足が生じることは少なく、定期的なバッテリーの充電や電池の交換を行う必要がなくなって、作業能率の向上を図ることができる。
【００２４】
本発明のように、圧着パッドの押圧部が直線移動することにより、発電装置が駆動されると、発電装置を駆動する為の負荷が、圧着パッドの押圧部の直線移動に対する負荷となる。
これにより、発電装置の駆動が遅延手段の補助となるので、遅延手段を大きな負荷を発生させる大掛かりなものに構成する必要がなくなって、遅延手段の構造の簡素化の面で有利なものとなる。
【００２５】
（構成）
本発明において、以下のように構成すると好適である。
前記操作部及び前記押圧部は、入れ子式に構成された筐体であり、
前記遅延手段に、前記直線移動時において、前記操作部と前記押圧部とによって囲まれた空間の空気の排出に抵抗を与える絞り部が備えられている。
【００２６】
（作用及び発明の効果）
本発明によると、圧着パッドの押圧部が直線移動することにより、圧着パッドの操作部と押圧部とによって囲まれた空間が縮小して、前述の空間の空気が外部に排出されるのであり、外部に排出される空気に対して、絞り部により抵抗を与える。
【００２７】
これにより、圧着パッドの操作部と押圧部とによって囲まれた空間から排出される空気に対して、絞り部により抵抗を与えるという比較的簡単な構造によって、円滑に作動する遅延手段を得ることができて、遅延手段の構造の簡素化及び遅延手段の性能の確保という面で有利なものとなる。
空気に代えて作動油を使用した場合、作動油の漏れが発生すると、作動油によって防水シート等を汚してしまう可能性があるのに対して、本発明では空気を使用しているので、防水シート等を汚すというようなことがない。
【００２８】
（構成）
本発明において、以下のように構成すると好適である。
前記押圧部が前記押圧完了位置に達したことを検出するセンサが備えられている。
【００２９】
（作用及び発明の効果）
本発明によると、作業者が圧着パッドの操作部を押圧完了位置まで直線移動させれば、このことがセンサにより検出されるので、センサの検出に基づいて、作業者が圧着パッドの操作部の押し操作を止めることによって、圧着パッドを必要以上に長い押圧時間に亘って押し操作する状態を容易に避けることができる。
【図面の簡単な説明】
【００３０】
【図１】押圧部が初期位置に位置する状態での圧着パッドの縦断正面図である。
【図２】圧着パッドの押圧部を、シート固定具に接着された防水シートの部分に当て付ける状態を示す正面図である。
【図３】押圧部が押圧完了位置に位置する状態での圧着パッドの縦断正面図である。
【図４】発明の実施の第１別形態において、押圧部が初期位置に位置する状態での圧着パッドの縦断正面図である。
【図５】図４において、Ｖ−Ｖ方向から視た断面図である。
【発明を実施するための形態】
【００３１】
［圧着パッドの概要］
建物の屋上（防水下地に相当）等に防水シート３５を設置する作業では、以下のような作業を行う。
図２に示すように、多数の円板状のシート固定具３４を、建物の屋上に所定間隔を置いて、アンカーボルト３６により固定する。シート固定具３４の上面には、加熱によって溶融する接着層が備えられている。
【００３２】
次にシート固定具３４の上から防水シート３５を被せて、シート固定具３４に載る防水シート３５の部分を上側から誘導加熱することにより、シート固定具３４の接着層を溶融させて、シート固定具３４と防水シート３５とを接着する。
【００３３】
一つのシート固定具３４について、シート固定具３４と防水シート３５との接着を終了すると、圧着パッドにより、シート固定具３４に接着された防水シート３５の部分を上側から押し操作して、シート固定具３４と防水シート３５との接着を確実なものとする。
【００３４】
以上のように、全てのシート固定具３４に対して、作業者は、誘導加熱によるシート固定具３４と防水シート３５との接着、シート固定具３４に接着された防水シート３５の部分に対する圧着パッドによる押し操作を、シート固定具３４ごとに繰り返して行って、防水シート３５を設置する。
【００３５】
図１に示すように、本発明の圧着パッドに、作業者によって押し操作される操作部４０と、シート固定具３４に接着された防水シート３５の部分を上側から押し操作する押圧部３とが備えられており、押圧部３が、押圧方向Ａ１に沿って初期位置（図１参照）と押圧完了位置（図３参照）とに亘って移動自在に操作部４０に支持されている。
本発明の圧着パッドに、押圧部３を初期位置に付勢する共に操作部４０の押圧力を押圧部３に伝達する付勢手段が備えられ、押圧部３の直線移動に負荷及び抵抗を付与する遅延手段が備えられている。
【００３６】
本発明の圧着パッドでは、以下のようにして圧着パッドの押し操作を行う。
図２に示すように、シート固定具３４に接着された防水シート３５の部分に圧着パッドを当て付け、作業者は圧着パッドの第２操作部２を押圧方向Ａ１に押し操作して、圧着パッドの押圧部３を、初期位置（図１参照）から押圧完了位置（図３参照）に直線移動させる。圧着パッドの押圧部３が押圧完了位置に達すると、作業者は圧着パッドを、防水シート３５から離す。
【００３７】
［操作部の構造］
図１に示すように、操作部４０は、第１操作部１と第２操作部２とを備えている。
第１操作部１において、円板状の天井部４の外周部に、円筒状の壁部５が一体的に接続され、天井部４の外周部における壁部５の外側の部分に、円筒状の壁部６が連結されており、壁部５の端部に、円板状の底部７が連結されている。
第２操作部２において、円板状の天井部８の外周部に、円筒状の壁部９が一体的に接続されている。
【００３８】
第１操作部１と第２操作部２とが同芯状に配置されて、第１操作部１の天井部４に、第２操作部２の壁部９が連結されている。第１操作部１及び押圧部３は、入れ子式に構成された筐体となっており、押圧部３が第１操作部１に直線移動自在に支持されている。
【００３９】
［押圧部の構造］
図１に示すように、押圧部３において、円板状の押圧板１０の中心に支持軸１１が連結され、円筒状の壁部１２が支持軸１１と同芯状に押圧板１０の外周部に連結されており、シリコンゴム製の弾性マット部１３が押圧板１０に取り付けられている。
【００４０】
第１操作部１の底部７の中心にボス部７ａが備えられて、押圧部３の支持軸１１が第１操作部１の底部７のボス部７ａに直線移動自在に挿入されており、第１操作部１の壁部５の外面に、押圧部３の壁部１２の内面が接している。
【００４１】
第１操作部１の底部７のボス部７ａ及び壁部５により、押圧部３が、押圧方向Ａ１に沿って直線移動自在に第１操作部１に支持されている。
第１操作部１に対して押圧部３が支持軸１１周りに回転しないようにする回り止め（図示せず）が、第１操作部１と押圧部３との間に備えられている。押圧部３の支持軸１１の端部に、リング部材１５がボルト１６により連結されている。
【００４２】
［操作部に対する押圧部の直線移動］
図１に示す状態は、第１操作部１に対して押圧部３が押圧方向Ａ１に最も離れた初期位置に位置した状態であり、押圧部３のリング部材１５が第１操作部１の底部７のボス部７ａに当たって、押圧部３が初期位置を越えて押圧方向Ａ１に移動できない状態である。
【００４３】
図１から図３に示すように、押圧部３の弾性マット部１３を物体に当て付けた状態で、第２操作部２を押圧方向Ａ１に押し操作すると、押圧部３の支持軸１１及び壁部１２に沿って、第１操作部１及び第２操作部２が押圧方向Ａ１に直線移動していく。
図３に示す状態は、第１操作部１に対して押圧部３が最も近づく押圧完了位置に位置した状態であり、押圧部３の壁部１２が、第１操作部１の天井部４の下面に当たった状態である。
【００４４】
図１及び図３に示すように、感圧ゴムをリング状に成形したセンサ１７が、第１操作部１の天井部４の外周部に取り付けられている。押圧部３が押圧完了位置に達すると、押圧部３の壁部１２がセンサ１７に当たって、押圧部３が押圧完了位置に達したことが、センサ１７により検出される。
【００４５】
押圧部３が押圧完了位置に達すると、第２操作部２に備えられたランプ３７が点灯し、ブザー（図示せず）が作動するので、作業者は押圧部３が押圧完了位置に達したことを認識することができるのであり、第２操作部２の押し操作を適切に止めることができる。
【００４６】
［押圧部の直線移動に対して回転運動により負荷を付与する遅延手段の構造］
図１に示すように、押圧部３の支持軸１１（遅延手段に相当）（固定ネジ部に相当）の外周部に、リードの大きなネジ部１１ａが形成されている。
【００４７】
回転体１８（遅延手段に相当）が備えられており、押圧部３の支持軸１１のネジ部１１ａと同じリードを備えたネジ部が、回転体１８の内面に形成されている。回転体１８の内面のネジ部が押圧部３の支持軸１１のネジ部１１ａに螺合するように、回転体１８が押圧部３の支持軸１１の外側に取り付けられている。
【００４８】
円筒状のカラー１９が押圧部３の支持軸１１の外側に取り付けられて、カラー１９が第１操作部１の底部７に連結されている。カラー１９の下部にスラストベアリング２０が取り付けられ、スラストベアリング２０に回転体１８が支持されている。
【００４９】
回転体１８の外周部にリング状のワンウェイクラッチ２２が取り付けられ、ワンウェイクラッチ２２の外周部にリングギヤ２３が取り付けられている。リングギヤ２３のボス部２３ａが下側に延出されており、リングギヤ２３のボス部２３ａにファン２４が連結されている。
以上の構造によって、押圧部３に支持軸１１が設けられ、回転体１８が、カラー１９及びスラストベアリング２０を介して、操作部４０に回転自在に支持された状態となっている。
【００５０】
［付勢手段の構造］
図１に示すように、回転体１８の下部にスラストベアリング２１が支持されて、スラストベアリング２１と押圧部３の押圧板１０との間に、コイルバネ１４（付勢手段に相当）が取り付けられている。押圧部３が初期位置に位置した状態で、コイルバネ１４が自由長から少し圧縮されており、コイルバネ１４が押圧部３を初期位置に付勢する付勢力を発生している。
【００５１】
コイルバネ１４の付勢力が、押圧部３の押圧板１０に支持されており、カラー１９、スラストベアリング２０，２１及び回転体１８を介して、第１操作部１の底部７に支持されている。コイルバネ１４により、第１操作部１に対して押圧部３が押圧方向Ａ１（第１操作部１と押圧部３とが互いに離れる側）に付勢されている。
以上の構造により、コイルバネ１４が操作部４０と押圧部３とに亘って設けられて、コイルバネ１４が押圧部３を初期位置（図１参照）に付勢する状態となっている。
押圧部３が初期位置に位置した状態でのコイルバネ１４の付勢力が、シート固定具３４に接着された防水シート３５の部分を押し操作する際の適正な押圧力以上の値に設定されている。
【００５２】
［押圧部の直線移動に対して弁機構の絞り部により抵抗を付与する遅延手段の構造］
図１に示すように、第１操作部１に押圧部３が直線移動自在に支持されることにより、第１操作部１と押圧部３とによって囲まれた空間２５が形成されており、第２操作部２を押圧方向Ａ１に押し操作して、押圧部３を直線移動させると、空間２５が縮小する。
【００５３】
第１操作部１の天井部４に開口部４ａが開口されており、第２操作部２の壁部９に開口部９ａが開口されている。第１操作部１の内部の空間（第１操作部１の天井部４、壁部５及び底部７によって囲まれた空間）が、第１操作部１の天井部４の開口部４ａ及び第２操作部２の壁部９の開口部９ａを介して、外部と連通している。
【００５４】
第１操作部１の底部７に開口部７ｂ，７ｃが開口されており、第１操作部１の底部７の開口部７ｂ，７ｃの部分に、弁機構２６が取り付けられている。
弁機構２６には、第１操作部１の内部の空間に連通する吸排気口２９、第１操作部１の底部７の開口部７ｂと吸排気口２９とに亘って接続された可変型式の絞り部２７（遅延手段に相当）、第１操作部１の底部７の開口部７ｃと吸排気口２９とに亘って接続された逆止弁２８が備えられている。
【００５５】
以上の構造によって、押圧部３の弾性マット部１３を物体に当て付けた状態で、第２操作部２を押圧方向Ａ１に押し操作して、押圧部３を直線移動させると、空間２５が縮小して、空間２５の空気が、弁機構２６の絞り部２７、第１操作部１の天井部４の開口部４ａ及び第２操作部２の壁部９の開口部９ａを介して、外部に排出される。
【００５６】
［操作部に備えられる発電装置及び通信装置］
図１に示すように、第１操作部１の底部７に発電装置３０が取り付けられており、発電装置３０の入力軸に連結されたピニオンギヤ３１が、リングギヤ２３と咬合している。
第１操作部１の天井部４に通信装置３２が取り付けられており、第２操作部２の内部の空間（第２操作部２の天井部８及び壁部９、第１操作部１の天井部４によって囲まれた空間）に、通信装置３２が配置されている。
【００５７】
センサ１７及び発電装置３０と通信装置３２とが、ハーネス３３を介して接続されており、ハーネス３３は第１操作部１の天井部４の開口部４ｂを通っている。
通信装置３２には、衛星からの電波を用いたＧＰＳ機能（グローバル・ポジショニング・システム）、及び、キャパシタ等で構成された蓄電機能が備えられており、通信装置３２は発電装置３０で発電された電力を蓄電しながら作動する。
【００５８】
［施工時における圧着パッドの動作］
本発明の圧着パッドにより、シート固定具３４に接着された防水シート３５の部分を上側から押し操作する場合、図２に示すように、シート固定具３４に接着された防水シート３５の部分に、押圧部３の弾性マット部１３を当て付ける。
この状態において図１に示すように、第１操作部１に対して押圧部３が押圧方向Ａ１に最も離れた初期位置に位置しており、図１から図３に示すように、作業者は第２操作部２を押圧方向Ａ１に押し操作して、押圧部３を直線移動させる。
【００５９】
図１から図３に示すように、押圧部３の直線移動に伴って、コイルバネ１４が圧縮されていく。これにより、作業者が第２操作部２を押圧方向Ａ１に押し操作する押圧力が、コイルバネ１４及び押圧部３を介して、シート固定具３４に接着された防水シート３５の部分に掛かるのであり、コイルバネ１４の付勢力（反力）が、第１操作部１及び第２操作部２に掛かる。
【００６０】
前述のように、押圧部３が初期位置に位置した状態でのコイルバネ１４の付勢力が、シート固定具３４に接着された防水シート３５の部分を押し操作する際の適正な押圧力以上の値に設定されているので、作業者は、コイルバネ１４の付勢力（反力）に少し打ち勝つ程度の力で、第２操作部２を押圧方向Ａ１に押し操作すればよい。
【００６１】
図１から図３に示すように、押圧部３が直線移動するのに伴って、押圧部３の支持軸１１のネジ部１１ａとの螺合により、回転体１８が螺進して、回転体１８が回転駆動されながら、第１操作部１及び第２操作部２と一緒に押圧方向Ａ１に移動する。
これにより、回転体１８を回転駆動する為の負荷が、押圧部３の直線移動に対する負荷となる。
【００６２】
これと同時に、ワンウェイクラッチ２２、リングギヤ２３、ファン２４及び発電装置３０が、第１操作部１及び第２操作部２と一緒に押圧方向Ａ１に移動する。ワンウェイクラッチ２２により、回転体１８と一緒にリングギヤ２３が回転駆動されて、リングギヤ２３によりファン２４が回転駆動される。リングギヤ２３により発電装置３０が駆動されて、発電装置３０で発電された電力が通信装置３２に蓄電される。
【００６３】
空間２５が縮小して、空間２５の空気が弁機構２６の絞り部２７、第１操作部１の天井部４の開口部４ａ及び第２操作部２の壁部９の開口部９ａを介して、外部に排出される。
これにより、空間２５から外部に排出される空気に対して、弁機構２６の絞り部２７により抵抗（負荷）が付与される。
【００６４】
以上のように、第２操作部２を押圧方向Ａ１に押し操作して、押圧部３を直線移動させると、以下の負荷が発生するのであり、作業者は、第２操作部２から以下の負荷を感じ取ることができる。
（１）回転体１８を回転駆動する為の負荷
（２）空間２５の空気が弁機構２６の絞り部２７を介して排出される際の抵抗（負荷）
（３）回転体１８によりファン２４を回転駆動する為の負荷
（４）回転体１８により発電装置３０を駆動する為の負荷
【００６５】
図１から図３に示すように、シート固定具３４に接着された防水シート３５の部分に、押圧部３の弾性マット部１３を当て付けると、シート固定具３４及び防水シート３５に残る熱が、押圧部３の弾性マット部１３に吸熱され、押圧部３の弾性マット部１３から押圧板１０に流れる。
【００６６】
押圧部３の直線移動に伴って、回転体１８が回転駆動されながら第１操作部１及び第２操作部２と一緒に押圧方向Ａ１に移動することに加えて、ファン２４がリングギヤ２３により回転駆動されて、第１操作部１及び第２操作部２と一緒に押圧方向Ａ１に移動する。
【００６７】
これにより、図１に示すように、ファン２４により空間２５の空気が攪拌され、ファン２４により空間２５の空気が押圧部３の押圧板１０に送られるので、押圧部３の押圧板１０の放熱が促進される。
この場合、ファン２４が回転駆動されながら、第１操作部１及び第２操作部２と一緒に押圧方向Ａ１に移動して、押圧部３の押圧板１０に接近するので、押圧部３の押圧板１０の放熱がさらに促進される。
【００６８】
押圧部３の押圧板１０の放熱が促進されることにより、シート固定具３４に接着された防水シート３５の部分から、押圧部３の弾性マット部１３への吸熱が促進されて、シート固定具３４及び防水シート３５の温度を下げることができる。
【００６９】
図３に示すように、押圧部３が押圧完了位置に達すると、ランプ３７が点灯して、ブザー（図示せず）が作動するので、作業者は押圧部３が押圧完了位置に達したことを認識することができるのであり、第２操作部２の押し操作を適切に止めることができる。
この後に作業者が圧着パッドを持ち上げると、コイルバネ１４の付勢力（反力）によって、押圧部３が押圧完了位置から初期位置に移動する。
【００７０】
図３から図１に示すように、押圧部３が押圧完了位置から初期位置に移動する場合、押圧部３の支持軸１１のネジ部１１ａとの螺合により、回転体１８が逆方向に回転駆動されて、空間２５が膨張する。
【００７１】
図３から図１に示すように、回転体１８が逆方向に回転駆動されても、ワンウェイクラッチ２２の作用により、リングギヤ２３及びファン２４が回転駆動されることはなく、発電装置３０も駆動されない。
空間２５が膨張する場合、外部の空気が第２操作部２の壁部９の開口部９ａ、第１操作部１の天井部４の開口部４ａ、弁機構２６の逆止弁２８を介して、抵抗なく空間２５に吸入される。
【００７２】
これにより、前述の（１）〜（４）に記載の負荷のうち、
（２）空間２５の空気が弁機構２６の絞り部２７を介して排出される際の抵抗（負荷）
（３）回転体１８によりファン２４を回転駆動する為の負荷
（４）回転体１８により発電装置３０を駆動する為の負荷
が無い状態で、押圧部３が押圧完了位置から初期位置に速やかに直線移動する。
【００７３】
図３に示すように、押圧部３が押圧完了位置に達して、このことがセンサ１７により検出されると、センサ１７の検出信号が通信装置３２に入力される。センサ１７の検出信号が入力されると、通信装置３２は、センサ１７の検出信号が入力された時点でのＧＰＳ機能による位置データを、管理エリアのコンピュータ（外部機器に相当）に送信する。
【００７４】
管理エリアのコンピュータが位置データを受信すると、管理エリアのコンピュータにおいて、位置データの位置に在るシート固定具３４で圧着パッドによる押圧作業が終了したと判断されるのであり、通信装置３２から位置データを受信するごとに、どの位置のシート固定具３４の押圧作業が終了したかが記憶される。
【００７５】
以上のように、全てのシート固定具３４に対して、誘導加熱によるシート固定具３４と防水シート３５との接着、シート固定具３４に接着された防水シート３５の部分に対する圧着パッドによる押し操作を行う。
【００７６】
前述のように、作業者がコイルバネ１４の付勢力（反力）に少し打ち勝つ程度の力で、第２操作部２を押圧方向Ａ１に押し操作する際において、押圧部３が初期位置に位置した状態でのコイルバネ１４の付勢力が、シート固定具３４に接着された防水シート３５の部分を押し操作する際の適正な押圧力以上の値に設定されている。
これにより、シート固定具３４に接着された防水シート３５の部分を、圧着パッドにより適正な押圧力以上の押圧力で押し操作することができる。
【００７７】
この場合、図１に示す押圧部３の初期位置でのコイルバネ１４の圧縮状態や、コイルバネ１４の径等を変更することによって、押圧部３が初期位置に位置した状態でのコイルバネ１４の付勢力を、シート固定具３４に接着された防水シート３５の部分を押し操作する際の適正な押圧力以上の値に設定する。
【００７８】
前述のように、作業者が前述の（１）〜（４）に記載の負荷に抗して押圧部３を無理なく直線移動させることができる程度の移動速度で、第２操作部２を押圧方向Ａ１に押し操作する際において、押圧部３を初期位置（図１参照）から押圧完了位置（図３参照）に直線移動させるのに要する時間を、適正な押圧時間（所定時間）以上の値に設定すればよい。
これにより、シート固定具３４に接着された防水シート３５の部分を、圧着パッドにより適正な押圧時間で押し操作することができる。
【００７９】
この場合、押圧部３の支持軸１１のネジ部１１ａのリード、ファン２４の枚数、及び発電装置３０の容量の変更や、弁機構２６の絞り部２７における抵抗（負荷）の調節等により、押圧部３を初期位置から押圧完了位置に直線移動させるのに要する時間を調節して、前述の時間を、適正な押圧時間（所定時間）以上の値に設定する。
【００８０】
［発明の実施の第１別形態］
圧着パッドを、図４及び図５に示す構造としてもよい。
図１に示す弁機構２６及び第１操作部１の底部７の開口部７ｂ，７ｃを廃止して、図４及び図５に示すように、押圧部３の押圧板１０に、複数の溝部１０ａを、押圧部３の支持軸１１の付近から、押圧部３の壁部１２の外側に至るように、放射状に形成する。これ以外の構造は、図１と同じである。
【００８１】
図４及び図５に示すように、第２操作部２を押圧方向Ａ１に押し操作して、押圧部３を直線移動させると、ファン２４がリングギヤ２３により回転駆動されて、ファン２４により空間２５の空気が押圧部３の押圧板１０に送られ、且つ、空間２５が縮小することによって、空間２５の空気が押圧部３の押圧板１０の溝部１０ａを通って外部に排出される。
【００８２】
図４及び図５に示すように、押圧部３が押圧完了位置から初期位置に直線移動する場合に、空間２５が膨張することによって、外部の空気が押圧部３の押圧板１０の溝部１０ａを通って空間２５に吸入される。
【００８３】
以上のように、空間２５の空気が、押圧部３の押圧板１０の溝部１０ａを通って外部に排出され、外部の空気が、押圧部３の押圧板１０の溝部１０ａを通って空間２５に吸入されることによって、押圧部３の押圧板１０及び弾性マット部１３の放熱が促進される。
【００８４】
図４に示すように、図１に示す弁機構２６及び第１操作部１の底部７の開口部７ｂ，７ｃを廃止しても、空間２５が縮小することによって、空間２５の空気が押圧部３の押圧板１０の溝部１０ａを通って排出される際に、押圧部３の押圧板１０の溝部１０ａにより空間２５の空気の流れに抵抗が発生する。
これにより、押圧部３の押圧板１０の溝部１０ａを、適切な断面積を備えたものに構成することによって、押圧部３の押圧板１０の溝部１０ａを、図１に示す弁機構２６の絞り部２７とすることができる。
【００８５】
［発明の実施の第２別形態］
前述の［発明の実施の第１別形態］において、図１に示す弁機構２６の逆止弁２８、及び第１操作部１の底部７の開口部７ｃを備えてもよい。
この構造によると、空間２５が膨張する際に、外部の空気が第２操作部２の壁部９の開口部９ａ、第１操作部１の天井部４の開口部４ａ、弁機構２６の逆止弁２８を通って、空間２５に吸入されるのであり、押圧部３が押圧完了位置から初期位置に速やかに直線移動することができる。
【００８６】
［発明の実施の第３別形態］
前述の［発明を実施するための形態］［発明の実施の第１別形態］［発明の実施の第２別形態］において、管理エリアのコンピュータから、各種の作業用のデータが、通信装置３２に送信されて、圧着パッドに備えられたディスプレイ（図示せず）に、前述の作業用のデータが表示されるようにしてもよい。
前述の作業用のデータとして、例えば、現時点での押圧作業の終了したシート固定具３４の数、現時点での押圧作業の終了していない残りのシート固定具３４の数、次に押圧作業を行うべきシート固定具３４の位置等がある。
【００８７】
［発明の実施の第４別形態］
前述の［発明を実施するための形態］［発明の実施の第１別形態］〜［発明の実施の第３別形態］において、押圧部３の押圧板１０の中心に１個の支持軸１１を連結するのではなく、押圧部３の押圧板１０の中心から偏心した位置に、１個の支持軸１１を連結してもよい。
押圧部３の押圧板１０の中心に１個の支持軸１１を連結し、押圧部３の押圧板１０の中心から偏心した位置に、複数個の支持軸１１を連結してもよい。
押圧部３の押圧板１０の中心に支持軸１１を連結せずに、押圧部３の押圧板１０の中心から偏心した位置に、複数個の支持軸１１を連結してもよい。
【００８８】
［発明の実施の第５別形態］
前述の［発明を実施するための形態］［発明の実施の第１別形態］〜［発明の実施の第４別形態］において、図１に示す支持軸１１を第１操作部１に連結し、回転体１８、ワンウェイクラッチ２２、リングギヤ２３及びファン２４を、押圧部３に回転自在に支持してもよい。
【００８９】
［発明の実施の第６別形態］
前述の［発明を実施するための形態］［発明の実施の第１別形態］〜［発明の実施の第５別形態］において、ファン２４が回転駆動されると、ファン２４が第１操作部１の底部７に向けて送風するようにしてもよい。
【００９０】
［発明の実施の第７別形態］
前述の［発明を実施するための形態］［発明の実施の第１別形態］〜［発明の実施の第６別形態］において、感圧ゴムによるセンサ１７に代えて、リミットスイッチ（図示せず）をセンサ１７として備えてもよい。
【００９１】
［発明の実施の第８別形態］
前述の［発明を実施するための形態］［発明の実施の第１別形態］〜［発明の実施の第７別形態］において、センサ１７、ランプ３７及びブザーを廃止してもよい。
この構造によると、作業者が第２操作部２を押圧方向Ａ１に押し操作して、押圧部３が押圧完了位置に達すると、押圧部３の壁部１２が第１操作部１の天井部４に当たるので、作業者は前述の当たった状態を感じ取って、第２操作部２の押圧方向Ａ１への押し操作を止めればよい。
【００９２】
［発明の実施の第９別形態］
前述の［発明を実施するための形態］［発明の実施の第１別形態］〜［発明の実施の第８別形態］において、コイルバネ１４に代えて、付勢力を発生するガスダンパー（付勢手段に相当）（図示せず）を、空間２５の内部における支持軸１１から離れた位置に備えてもよい。
【００９３】
コイルバネ１４に代えて、ネジリバネ（付勢手段に相当）（図示せず）を空間２５の内部に横向きに配置して、ネジリバネの一方の端部を第１操作部１の底部７に接続し、ネジリバネの他方の端部を押圧部３の押圧板１０に接続してもよい。
この構造によると、第２操作部２を押圧方向Ａ１に押し操作して、押圧部３を直線移動させると、ネジリバネが捩じられて付勢力を発生する。
【００９４】
［発明の実施の第１０別形態］
前述の［発明を実施するための形態］［発明の実施の第１別形態］〜［発明の実施の第９別形態］において、以下に記載のような遅延手段を備えてもよい。
押圧部３の支持軸１１のネジ部１１ａ及び回転体１８が廃止されて、支持軸１１が押圧部３の押圧板１０に上下方向の軸芯周りに回転自在に支持される。
紐体（遅延手段に相当）（図示せず）の中間部が支持軸１１に接続されて、紐体の一方の端部が第１操作部１の壁部１２の内面に接続され、紐体の他方の端部が、第１操作部１の壁部１２の内面において１８０度位相のずれた位置に接続されている。押圧部３が初期位置に位置する状態で、紐体が支持軸１１に所定回数だけ巻き付いている。
【００９５】
前述の構造において、第２操作部２を押圧方向Ａ１に押し操作して、押圧部３を直線移動させると、紐体の張力により、紐体が支持軸１１を回転駆動しながら支持軸１１から解ける状態となる（例えば、まいぎり方式による火起しの形態参照）。
これにより、支持軸１１を回転駆動する為の負荷が、押圧部３の直線移動に対する負荷となる。
【００９６】
［発明の実施の第１１別形態］
前述の［発明を実施するための形態］［発明の実施の第１別形態］〜［発明の実施の第１０別形態］において、作業者が手で圧着パッドを持ち運びできるように、手で持つ為のグリップ部（図示せず）を備えてもよい。
【００９７】
［発明の実施の第１２別形態］
前述の［発明を実施するための形態］［発明の実施の第１別形態］〜［発明の実施の第１１別形態］において、以下の（１）〜（４）のように構成してもよい。
（１）押圧部３が初期位置に位置した状態でのコイルバネ１４の付勢力を、シート固定具３４に接着された防水シート３５の部分を押し操作する際の適正な押圧力と同じ値に設定したり、前述の適正な押圧力に近い値に設定する。
（２）押圧部３を初期位置から押圧完了位置に直線移動させるのに要する時間を、適正な押圧時間（所定時間）と同じ値に設定したり、前述の適正な押圧時間（所定時間）に近い値に設定する。
（３）空間２５及び第１操作部１の内部の空間に作動油を入れて、第２操作部２を押圧方向Ａ１に押し操作して空間２５が縮小する際に、空間２５の作動油が弁機構２６の絞り部２７を通って第１操作部１の内部の空間に入ることにより、第２操作部２の押圧方向Ａ１への押し操作に抵抗（負荷）が付与されるように構成する。
（４）変位速度に比例して抵抗（負荷）を付与する流体式ダンパー（遅延手段に相当）（図示せず）を、第１操作部１と押圧部３との間に備える。
この場合、支持軸１１のネジ部１１ａ、回転体１８及び絞り部２６を備えた圧着パッドに、流体式ダンパーを備えてもよい。圧着パッドに流体式ダンパーを備えて、支持軸１１のネジ部１１ａ、回転体１８及び絞り部２６のうちのいずれか１つ、又はいずれか２つ、又は全てを廃止してもよい。
【産業上の利用可能性】
【００９８】
本発明は、防水下地に固定されたシート固定具に誘導加熱によって防水シートを接着する際に用いられ、誘導加熱後に防水シートをシート固定具に押圧するための圧着パッドに適用できる。
【符号の説明】
【００９９】
３      押圧部
１１    遅延手段、固定ネジ体
１４    付勢手段
１７    センサ
１８    遅延手段、回転体
２４    ファン
２５    操作部と押圧部とによって囲まれた空間
２７    遅延手段、絞り部
３０    発電装置
３２    通信装置
３４    シート固定具
３５    防水シート
４０    操作部
Ａ１    押圧方向
【図１】
2018168658.tif 000003
【図２】
2018168658.tif 000004
【図３】
2018168658.tif 000005
【図４】
2018168658.tif 000006
【図５】
2018168658.tif 000007